【事件の表示】
　特願２０１１−２５６６９１「画像処理システム、画像処理方法および記録媒体」拒絶査定不服審判事件〔平成２５年　６月２０日出願公開、特開２０１３−１２２６２１、請求項の数（７）〕について、次のとおり審決する。
【結　論】
　原査定を取り消す。
　本願の発明は、特許すべきものとする。
【理　由】
第１　手続の経緯
　本願は、平成２３年１１月２４日の出願であって、平成２４年９月２６日付けで拒絶理由が通知され、同年１１月２０日付けで手続補正がされ、平成２５年２月６日付けで拒絶査定がされ、これに対し、平成２５年５月９日に拒絶査定不服審判の請求がされたものである。
　　　
第２　本願発明
　本願の請求項１〜７に係る発明は、平成２４年１１月２０日付けの手続補正で補正された特許請求の範囲の請求項１〜７に記載された事項により特定される、以下のとおりのものである。
「【請求項１】
　クライアント装置と、ホスト装置と、画像処理装置とを備え、
　前記画像処理装置は、動作設定情報と関連付けられているアイコンが登録され、前記アイコンを表示する要求に応じて、前記アイコンを画像処理側表示装置に表示し、選択されたアイコンに関連付けられている動作設定情報が示す動作条件により動作を行う画像処理システムにおいて、
　前記クライアント装置は、クライアント側記憶装置と、クライアント側制御部とを備え、
　前記クライアント側制御部は、前記クライアント装置に対して登録された前記アイコンを、前記クライアント側記憶装置に記憶させ、かつ、前記クライアント側記憶装置に記憶されている前記アイコンのうち、前記クライアント装置の使用者の前記クライアント装置に対する入力操作により前記クライアント装置に登録されたアイコンのみを前記ホスト装置に送信し、
　前記ホスト装置は、ホスト側記憶装置と、ホスト側制御部とを備え、
　前記ホスト側制御部は、前記クライアント装置から受信した前記アイコンを、前記ホスト側記憶装置に記憶させ、かつ前記画像処理装置に登録し、
　前記ホスト側制御部は、前記ホスト装置に対して登録された前記アイコンを、前記ホスト側記憶装置に記憶させ、前記ホスト側記憶装置に記憶されている前記アイコンのうち、前記ホスト装置の使用者の前記ホスト装置に対する入力操作により前記ホスト装置に登録されたアイコンのみを、前記画像処理装置に登録し、かつ前記クライアント装置に送信し、
　前記クライアント装置は、クライアント側表示装置を備え、
　前記クライアント側制御部は、前記ホスト装置から受信した前記アイコンを前記クライアント側記憶装置に記憶させ、前記アイコンを表示する要求に応じて、前記クライアント側記憶装置に記憶されている前記アイコンを前記クライアント側表示装置に表示させることを特徴とする画像処理システム。
【請求項２】
　前記ホスト側制御部は、前記ホスト側記憶装置に記憶されている前記アイコンのうち、前記ホスト装置の使用者の前記ホスト装置に対する入力操作により前記ホスト装置に登録されたアイコンのみを、前記ホスト装置に接続されている全てのクライアント装置に送信することを特徴とする請求項１に記載の画像処理システム。
【請求項３】
　前記クライアント側制御部は、前記クライアント装置の前記ホスト装置に対する接続が切断された場合に、前記クライアント側記憶装置に記憶されている前記アイコンのうち、前記ホスト装置から受信した前記アイコンを全て削除することを特徴とする請求項２に記載の画像処理システム。
【請求項４】
　前記ホスト側制御部は、前記クライアント装置の前記ホスト装置に対する接続が切断された場合に、前記ホスト側記憶装置に記憶されている前記アイコンのうち、切断された前記クライアント装置から受信した前記アイコンを全て削除することを特徴とする請求項１から３のいずれか１項に記載の画像処理システム。
【請求項５】
　前記クライアント側制御部は、前記クライアント装置に対して、ユーザー情報の入力を伴って登録された前記アイコンを、ユーザーの識別情報を付加して前記クライアント側記憶装置に記憶させ、前記アイコンを表示する、ユーザー情報の入力を伴った要求に応じて、前記クライアント側記憶装置に記憶されている前記アイコンのうち、前記要求に伴う前記ユーザー情報に対応したユーザーの識別情報が付加された前記アイコンのみを前記クライアント側表示装置に表示させることを特徴とする請求項１から４のいずれか１項に記載の画像処理システム。
【請求項６】
　画像処理装置に動作設定情報と関連付けられているアイコンを登録し、画像処理装置が前記アイコンを表示する要求に応じて、前記アイコンを画像処理側表示装置に表示し、選択されたアイコンに関連付けられている動作設定情報が示す動作条件により動作を行う画像処理方法において、
　クライアント装置に対して登録された前記アイコンを、クライアント側記憶装置に記憶させ、かつ、前記クライアント側記憶装置に記憶されている前記アイコンのうち、前記クライアント装置の使用者の前記クライアント装置に対する入力操作により前記クライアント装置に登録されたアイコンのみをホスト装置に送信する工程と、
　前記ホスト装置が、前記クライアント装置から受信した前記アイコンを、ホスト側記憶装置に記憶させ、かつ前記画像処理装置に登録する工程と、
　前記ホスト装置に対して登録された前記アイコンを、前記ホスト側記憶装置に記憶させ、前記ホスト側記憶装置に記憶されている前記アイコンのうち、前記ホスト装置の使用者の前記ホスト装置に対する入力操作により前記ホスト装置に登録されたアイコンのみを、前記画像処理装置に登録し、かつ前記クライアント装置に送信する工程とを備え、
　前記クライアント装置は、クライアント側表示装置を備え、
　前記ホスト装置から受信した前記アイコンを前記クライアント側記憶装置に記憶させ、前記アイコンを表示する要求に応じて、前記クライアント側記憶装置に記憶されている前記アイコンを前記クライアント側表示装置に表示させる工程を備えていることを特徴とする画像処理方法。
【請求項７】
　請求項１から５のいずれか１項に記載の画像処理システムを機能させるためのプログラムであって、前記クライアント装置の前記クライアント側制御部としてコンピュータを機能させるためのプログラム、および、前記ホスト装置の前記ホスト側制御部としてコンピュータを機能させるためのプログラムを含むプログラムを記録したコンピュータ読み取り可能な記録媒体。」
（以下、本願の請求項１に係る発明を「本願発明」という。）　
　
第３　原査定の理由の概要　
　本願の請求項１〜７に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　
　　　　　　　　　　　　　　　　　　　記　　　
刊行物１：特開２００５−６４８８１７号公報
刊行物２：特開２００５−１０８０６６号公報
刊行物３：特開２００９−２８２９１８号公報
刊行物４：特開２００２−２４４８５５号公報
刊行物５：特開２０１１−６０２７４号公報
　
第４　当審の判断
１．刊行物の記載事項
　刊行物１には、次の記載がある。
（ア）「【００１１】
　請求項１〜４の発明では、通信装置へのアイコンデータの登録を外部装置から行うことができる。複合機として動作する通信装置において、そのＬＣＤやタッチパネル等の表示部を用い、アイコン画像を作成したりアイコンデータを登録することは、パーソナルコンピュータでの操作等とは異なり、困難である。またフォルダ等のツリー構造の表示を用い、アクセスしたいフォルダやファイル等を選択することは手間がかかり、面倒である。この発明では、アイコンデータを外部装置から受信し、そのデータを登録する。アイコンデータには、所定の資源へアクセスするためのショートカット情報とアイコン画像データを含む。そして登録したアイコン画像データを用い、アイコン画像をＬＣＤ等に表示することができる。ユーザらは通信装置のＬＣＤ等に表示された、所定のアイコン画像を選択すると、登録されたショートカット情報から目的の資源へ簡単にアクセスすることができる。」（段落【００１１】）
　　　　
（イ）「【００１５】
　図１〜図６に、実施例を示す。図１は、通信装置がＬＡＮにより複数の装置や資源に接続されている状態を示す。なお実施例では、通信装置はファクシミリ機能やプリンタ機能等を有する複合機２とする。ＬＡＮ４には、パーソナルコンピュータ６が接続され、ＬＡＮ４内の複数の装置の管理等を行う。８はファイルサーバで、ＬＡＮ４内の複数のパーソナルコンピュータ等により共用され、パーソナルコンピュータ等からアクセスしてファイルサーバ８内のデータ等を利用することができる。そして図で示すフォルダ１０やアドレスブック１２等は、物理的にはファイルサーバやその他の記憶装置等で構成されている。１４はＬＡＮ４に接続するプリンタである。なお１６は複合機２のＬＣＤなどの表示パネルで、例えばＬＣＤに感圧センサを組み合わせてタッチパネルとし、操作パネルを兼ねている。実施例では表示パネル１６にアイコン画像を表示し、表示されたアイコン画像をユーザに選択させる。
【００１６】
　図２に、ＬＡＮ４に接続する複合機２の構成を示す。複合機２は、ＬＡＮインターフェース１７、ＬＡＮ４を介してメールサーバ１８やルータ２０に接続され、ルータ２０はインターネット２２に接続されている。そして複合機２は、Ｇ３ファクシミリ機能処理部２６で、公衆回線網２４を介して従来のＧ３やＧ４のファクシミリの送受信を行う。またインターネットファクシミリ機能処理部２８では、メールサーバ１８やルータ２０などを介して、例えば電子メール形式でインターネットファクシミリの送受信を行う。
【００１７】
　コピー機能処理部３０は、複合機２に設けたスキャナとプリンタとを用いてコピーを行い、ネットワークプリンタ機能処理部３２は、パーソナルコンピュータ６などからの依頼に応じて、ネットワークプリンタとしてプリントを行う。スキャナ機能処理部３４は画像を読み取り、パーソナルコンピュータ６などの端末６や資源に画像データを送信するなどの処理を行う。HTTPサーバ処理機能３６は、複合機２にブラウザを用いてパーソナルコンピュータ６からアイコンデータを受信したり、その他複合機２にアクセスした端末に対し、Webページを送出し、端末からの要求に応じて様々なコンテンツを送出し、かつ端末からの入力を受け付ける。アイコンデータの受信にはＨＴＴＰに限らず、ＦＴＰや電子メールによっても良く、ファイル共有プロトコル等も用い得る。
【００１８】
　ＧＵＩ３８は、アイコン画像を表示パネル１６上に表示したり、ユーザ等が選択したアイコンに対してファイルサーバ８等にあるフォルダへのショートカット情報を用いてアクセスを可能にし、あるいはプリンタ１４のフォルダへのプリントデータの出力を可能にする。そして複合機２の表示パネル１６と同じアイコン画像を、パーソナルコンピュータ６の画面上に表示するためのアイコンデータを送出して、パーソナルコンピュータ６の画面からもアイコンを選択することを可能にする。
【００１９】
　また４２は、パーソナルコンピュータ６や、インターネットを介して接続されるパーソナルコンピュータ４４等からのアイコンデータを記憶するための、アイコンデータ記憶部である。アイコンデータには、アイコン画像を表示パネル１６に表示するためのアイコン画像データと、そのアイコンの選択時にアクセスするフォルダやファイル、ネットワーク上のプリンタ等へのURL(Uniform Resource Locator)やパス情報等のショートカット情報とを含む。さらにユーザを認証するための認証情報を含ませても良い。４３はユーザの認証を行うための認証部で、入力されたパスコードやＩＤ等とアイコンデータ記憶部４２に記憶しているパスコードやＩＤ等とを比較し、ユーザを認証する。
【００２０】
　図３に、ＬＡＮ４内のパーソナルコンピュータ６から複合機２への、アイコンデータの送信を示す。なおユーザは、複合機２に登録したいアイコンデータを、インターネット２２を介してパーソナルコンピュータ４４等（図２）から、送信しても良い。アイコンデータ４６，４８は、図の下部に示すようにショートカット情報とアイコン画像データとを含み、例えば電子メールで送信するが、ＨＴＴＰやＦＴＰでＪＰＥＧファイルとして送信しても良い。またファイル共有プロトコルなどを用いて、他の装置やフォルダにあるアイコンデータを読み出しても良い。受信したアイコンデータはアイコンデータ記憶部４２に記憶し、受信したアイコン画像データに基づき、ＧＵＩ３８で表示パネル１６上にアイコン画像を表示する。
【００２１】
　そしてユーザが表示パネル１６に表示されたアイコン画像を選択すると、そのアイコン画像に対応するショートカット情報からURLやパスを特定し、所定のフォルダやファイルへのアクセスを行い、例えばアイコン画像の特定するプリンタのフォルダなどへ出力する。このようにユーザは、複合機２の表示パネル１６に表示されたアイコン画像を選択すれば、複合機２から所望のデータ等を得る、所望の出力先へデータを出力する、等の処理を容易に行うことができる。なお図３の電子メール４６では、メール本文にショートカット情報を、メール本文２に認証情報を記載し、その添付ファイルとしてアイコン画像データを記載する。表示されたアイコン画像の内、ユーザがこのアイコン画像の選択を行うと、権限のあるユーザにのみ、そのショートカット情報の使用を許可する。」（段落【００１５】〜【００２１】）
　　
　そうすると、刊行物１には、次の発明（以下、「引用発明」という。）が記載されている。
「複合機２、パーソナルコンピュータ６、ＬＡＮ４内の複数のパーソナルコンピュータ等により共用されるファイルサーバ８、プリンタ１４等の複数の装置や資源がＬＡＮ４により接続され、
　複合機２は、コピー機能処理部３０により複合機２に設けたスキャナとプリンタとを用いてコピーを行い、ネットワークプリンタ機能処理部３２によりパーソナルコンピュータ６などからの依頼に応じて、ネットワークプリンタとしてプリントを行い、ＧＵＩ３８によりアイコン画像を表示パネル１６上に表示し、ユーザ等が選択したアイコンに対してファイルサーバ８等にあるフォルダへのショートカット情報を用いてアクセスを可能にし、あるいはプリンタ１４のフォルダへのプリントデータの出力を可能にし、そして複合機２の表示パネル１６と同じアイコン画像を、パーソナルコンピュータ６の画面上に表示するためのアイコンデータを送出して、パーソナルコンピュータ６の画面からもアイコンを選択することを可能にし、
　パーソナルコンピュータ６は、ショートカット情報とアイコン画像データとを含むアイコンデータを複合機２に送信し、
　前記複合機２は、受信したアイコンデータをアイコンデータ記憶部４２に記憶し、受信したアイコン画像データに基づき、ＧＵＩ３８で表示パネル１６上にアイコン画像を表示し、ユーザが表示パネル１６に表示されたアイコン画像を選択すると、そのアイコン画像に対応するショートカット情報からURLやパスを特定し、所定のフォルダやファイルへのアクセスを行い、ユーザは、複合機２の表示パネル１６に表示されたアイコン画像を選択すれば、複合機２から所望のデータ等を得る、所望の出力先へデータを出力する、等の処理を容易に行うことができ、
ユーザは、複合機２に登録したいアイコンデータを、インターネット２２を介してパーソナルコンピュータ４４等から、送信しても良いことを特徴とするシステム。」
　　　　
　刊行物２には、次の記載がある。
「【０１７４】
　サーバ装置２２０に、アイコンを記憶する記憶手段２２２と、この記憶手段２２２に記憶されたアイコンを端末装置２３０へ適宜送信する送信制御手段２２３Ａとを設けている。また、端末装置２３０に、サーバ装置２２０からアイコンを取得する表示制御手段２３６Ａと、この表示制御手段２３６Ａにて取得したアイコンの表示形態を変更させるアイコン加工手段２３６Ｂとを設けている。このように、このように、アイコンをサーバ装置２２０から適宜取得する構成とすることにより、メモリ２３５にアイコンを常時記憶させる必要がなくなる。このため、メモリ２３５の容量を小さくできる。また、サーバ装置２２０の記憶手段２２２にアイコンを記憶させたので、複数の端末装置２３０に同一のアイコンを適宜送信できる。このため、アイコンの共有化が可能な汎用性が高いＨＰ表示システム２００を提供できる。」（段落【０１７４】）
　　
　刊行物３には、次の記載がある。
「【００３４】
＜第２の実施の形態＞
　本発明の第２の実施の形態は、ネットワーク５に接続されている画像形成装置１０やパソコン２０について同じアイコンテーブル１４０ｂを使用することで、使用するアイコンを統一できる形態である。第２の実施の形態における電子メール送受信システムの構成は、第１の実施の形態の電子メール送受信システムの構成と同様である。本発明の第２の実施の形態では、ネットワーク５に接続されている画像形成装置１０またはパソコン２０から予め１台を指定しておき、その画像形成装置１０またはパソコン２０からアイコンテーブル１４０ａのアイコンの追加、変更、削除などの更新を行うようにする。また、アイコンテーブル１４０ａの更新が行われたときに予め指定された画像形成装置１０またはパソコン２０が、別の画像形成装置１０またはパソコン２０にアイコンテーブル１４０ａを配信する。そしてアイコンテーブル１４０ａを配信された画像形成装置１０またはパソコン２０は、自身のアイコンテーブル１４０ａを更新する。
【００３５】
　このようなシステムとすることで、ネットワーク５に接続されている画像形成装置１０またはパソコン２０が使用するアイコンテーブル１４０ａが統一されるので、画像形成装置１０またはパソコン２０の間でアイコンを送受信する必要がなく、アイコンテーブル１４０ａの「Ｎｏ（Ｉ）」を使用してアイコンを送受信することができる。
【００３６】
　このような本発明の第２の実施の形態によれば、ネットワーク５に接続されている画像形成装置１０やパソコン２０について同じアイコンテーブル１４０ｂ（当審注：「１４０ａ」の誤記と認められる。）を使用することで、画像形成装置１０やパソコン２０で文書の種類や特徴を示すアイコンを統一できるので、ユーザは表示されるアイコンで文書の種類や特徴を一目で認識できる。」（段落【００３４】〜【００３６】）
　　
　刊行物５には、次の記載がある。
（ア）「【００１１】
　［実施例１］
　＜システム構成とハードウェア構成＞
　図１は、実施例に係る印刷制御システムの一例を示す図である。図１に示すように、印刷制御システムは、ネットワークを介して画像形成装置１０、情報処理サーバ（プリントサーバ）２０、情報処理装置（クライアント）３０、４０、５０が接続されている。以下、画像形成装置はＭＦＰ（Multifunction Peripheral）を例にして説明する。」（段落【００１１】）
　　　　
（イ）「【００２８】
　アイコン作成手段２２２は、選択されたアイコン、又は作成されたアイコンと、機能設定手段２２０により設定された複数の印刷機能を対応付ける。アイコン作成手段２２２は、既存のアイコンを管理者に選択させてもよいし、管理者によりアイコンを新規に作成させてもよい。」（段落【００２８】）
　　
（ウ）「【００４２】
　図９は、各情報の保存先を示す図である。図９（Ａ）は、レジストリ２０４に保存される情報を示す。前述した通り、レジストリ２０４は、デフォルトワンクリックアイコン情報と、共有ワンクリックアイコン情報とを保存する。なお、レジストリに保存されているデータは、Ｗｉｎｄｏｗｓ（登録商標）の機能を用いることで、他の機器のレジストリに引継ぐことができる。」（段落【００４２】）
　　　
（エ）「【０１０９】
　［実施例２］
　次に、実施例２における印刷制御システムについて説明する。実施例２では、共有ワンクリックアイコンをプリントサーバからクライアントに引継ぐ（コピーする）方法として、ポイントアンドプリントＤＬＬ（ダイナミックリンクライブラリ）を利用する。なお、実施例２におけるプリントサーバ、クライアントのハードウェア構成は、図２に示すハードウェア構成と同様であるため、説明を省略する。」（段落【０１０９】）
　　　　
２．対比
　本願発明と引用発明を対比する。
　引用発明の「複合機２」は、本願発明の「画像処理装置」に相当する。
　引用発明の「複合機２は、」「ＧＵＩ３８によりアイコン画像を表示パネル１６上に表示し、ユーザ等が選択したアイコンに対してファイルサーバ８等にあるフォルダへのショートカット情報を用いてアクセスを可能にし、あるいはプリンタ１４のフォルダへのプリントデータの出力を可能」にしている構成は、本願発明の「前記画像処理装置は、動作設定情報と関連付けられているアイコンが登録され、前記アイコンを表示する要求に応じて、前記アイコンを画像処理側表示装置に表示し、選択されたアイコンに関連付けられている動作設定情報が示す動作条件により動作を行う」に相当するといえ、引用発明の「システム」は、「複合機２は、」「パーソナルコンピュータ６などからの依頼に応じて、ネットワークプリンタとしてプリントを行」うから、本願発明の「画像処理システム」に相当する。
　引用発明の「パーソナルコンピュータ６」は、複合機２にプリントを依頼するから、本願発明の「クライアント装置」に相当するといえ、記憶装置と制御部を備えることは明らかであり、当該記憶装置と制御部は、それぞれ、本願発明の「クライアント側記憶装置」と「クラインアント側制御部」に相当する。
　引用発明の「パーソナルコンピュータ６は、ショートカット情報とアイコン画像データとを含むアイコンデータを複合機２に送信」する構成は、パーソナルコンピュータ６に対し登録、記憶したアイコンデータを送信していることは明らかであるから、本願発明の「前記クライアント側制御部は、前記クライアント装置に対して登録された前記アイコンを、前記クライアント側記憶装置に記憶させ、かつ、前記クライアント側記憶装置に記憶されている前記アイコンのうち、前記クライアント装置の使用者の前記クライアント装置に対する入力操作により前記クライアント装置に登録されたアイコンのみを前記ホスト装置に送信し」と「前記クライアント側制御部は、前記クライアント装置に対して登録された前記アイコンを、前記クライアント側記憶装置に記憶させ、記憶装置に記憶されている前記クラインアント装置に登録されたアイコンを送信」する点で共通する。
　引用発明の「前記複合機２は、受信したアイコンデータをアイコンデータ記憶部４２に記憶し、受信したアイコン画像データに基づき、ＧＵＩ３８で表示パネル１６上にアイコン画像を表示し、ユーザが表示パネル１６に表示されたアイコン画像を選択すると、そのアイコン画像に対応するショートカット情報からURLやパスを特定し、所定のフォルダやファイルへのアクセスを行い、ユーザは、複合機２の表示パネル１６に表示されたアイコン画像を選択すれば、複合機２から所望のデータ等を得る、所望の出力先へデータを出力する、等の処理を容易に行う」構成は、複合機２の制御部が処理を行っていることは明らかであって、複合機２はクライアント側であるパーソナルコンピュータ６に対しホスト側であるといえるから、複合機２の制御部及びアイコンデータ記憶部４２は、本願発明の「ホスト側制御部」及び「ホスト側記憶装置」に相当する（ただし、「ホスト装置」が備える「ホスト側制御部」及び「ホスト側記憶部」ではない。）といえ、引用発明の前記構成は、本願発明の「ホスト側制御部は、前記クライアント装置から受信した前記アイコンを、前記ホスト側記憶装置に記憶させ、かつ前記画像処理装置に登録し」に相当するといえる。
　引用発明の「複合機２は、」「複合機２の表示パネル１６と同じアイコン画像を、パーソナルコンピュータ６の画面上に表示するためのアイコンデータを送出して、パーソナルコンピュータ６の画面からもアイコンを選択することを可能」にする構成は、本願発明の「前記ホスト側制御部は、前記ホスト装置に対して登録された前記アイコンを、前記ホスト側記憶装置に記憶させ、前記ホスト側記憶装置に記憶されている前記アイコンのうち、前記ホスト装置の使用者の前記ホスト装置に対する入力操作により前記ホスト装置に登録されたアイコンのみを、前記画像処理装置に登録し、かつ前記クライアント装置に送信し、前記クライアント装置は、クライアント側表示装置を備え、前記クライアント側制御部は、前記ホスト装置から受信した前記アイコンを前記クライアント側記憶装置に記憶させ、前記アイコンを表示する要求に応じて、前記クライアント側記憶装置に記憶されている前記アイコンを前記クライアント側表示装置に表示させる」と「前記ホスト側制御部は、ホスト側記憶装置に記憶されている前記アイコンを、前記画像処理装置に登録し、かつ前記クライアント装置に送信し、前記クライアント装置は、クライアント側表示装置を備え、前記クライアント側制御部は、受信した前記アイコンを前記クライアント側記憶装置に記憶させ、前記アイコンを表示する要求に応じて、前記クライアント側記憶装置に記憶されている前記アイコンを前記クライアント側表示装置に表示させる」点で共通する。
　
　そうすると、両者は、次の点で一致する。
「クライアント装置と、画像処理装置とを備え、
　前記画像処理装置は、動作設定情報と関連付けられているアイコンが登録され、前記アイコンを表示する要求に応じて、前記アイコンを画像処理側表示装置に表示し、選択されたアイコンに関連付けられている動作設定情報が示す動作条件により動作を行うシステムにおいて、
　前記クライアント装置は、クライアント側記憶装置と、クライアント側制御部とを備え、
　前記クライアント側制御部は、前記クライアント装置に対して登録された前記アイコンを、前記クライアント側記憶装置に記憶させ、記憶装置に記憶されている前記クラインアント装置に登録されたアイコンを送信し、
　ホスト側制御部は、前記クライアント装置から受信した前記アイコンを、ホスト側記憶装置に記憶させ、かつ前記画像処理装置に登録し、
　前記ホスト側制御部は、ホスト側記憶装置に記憶されている前記アイコンを、前記画像処理装置に登録し、かつ前記クライアント装置に送信し、
　前記クライアント装置は、クライアント側表示装置を備え、
　前記クライアント側制御部は、受信した前記アイコンを前記クライアント側記憶装置に記憶させ、前記アイコンを表示する要求に応じて、前記クライアント側記憶装置に記憶されている前記アイコンを前記クライアント側表示装置に表示させることを特徴とするシステム。」
　　
　他方、本願発明と引用発明は点で相違する。
＜相違点＞
　本願発明は、「ホスト側記憶装置と、ホスト側制御部とを備え」る「ホスト装置」を備え、「クライアント側制御部は、」「クライアント側記憶装置に記憶されている前記アイコンのうち、前記クライアント装置の使用者の前記クライアント装置に対する入力操作により前記クライアント装置に登録されたアイコンのみを前記ホスト装置に送信し」、「前記ホスト側制御部は、前記ホスト装置に対して登録された前記アイコンを、前記ホスト側記憶装置に記憶させ、前記ホスト側記憶装置に記憶されている前記アイコンのうち、前記ホスト装置の使用者の前記ホスト装置に対する入力操作により前記ホスト装置に登録されたアイコンのみを、前記画像処理装置に登録し、かつ前記クライアント装置に送信」するのに対し、引用発明は、複合機２とは別の「ホスト装置」を備えておらず、パーソナルコンピュータ６において使用者の入力操作により前記パーソナルコンピュータ６に登録されたアイコンのみをホスト装置に送信し、ホスト装置に記憶させ、かつ複合機２に登録し、ホスト装置の使用者のホスト装置に対する入力操作によりホスト装置に登録されたアイコンのみを、複合機２に登録し、かつパーソナルコンピュータ６に送信するような構成ではない点。
　　　
３．判断
　上記相違点について検討する。
　刊行物２には、サーバ装置の記憶手段にアイコンを記憶させ、複数の端末装置に同一のアイコンを適宜送信することにより、アイコンの共有化ができることが記載され、刊行物３には、予め指定された画像形成装置またはパソコンにおいてアイコンテーブルのアイコンの追加、変更、削除などの更新が行われたときに、別の画像形成装置またはパソコンに更新されたアイコンテーブルを配信し、アイコンテーブルを配信された画像形成装置またはパソコンは、自身のアイコンテーブルを更新するシステムとすることで、ネットワークに接続されている画像形成装置またはパソコンが使用するアイコンテーブルが統一されることが記載されているが、クライアント装置の使用者のクライアント装置に対する入力操作によりクライアント装置に登録されたアイコンのみをホスト装置に送信し、ホスト装置に記憶させ、かつ画像処理装置に登録し、ホスト装置の使用者のホスト装置に対する入力操作によりホスト装置に登録されたアイコンのみを、画像処理装置に登録し、かつ、クライアント装置に送信することは示されておらず、示唆されてもいない。
　刊行物５には、ネットワークを介して画像形成装置、情報処理サーバ（プリントサーバ）、複数の情報処理装置（クライアント）が接続されているシステムにおいて、情報処理サーバ（プリントサーバ）で管理者がワンクリックアイコンを作成し、作成したワンクリックアイコンを共有ワンクリックアイコン情報としてレジストリに保存し、共有ワンクリックアイコンをプリントサーバからクライアントに引継ぐ（コピーする）することが記載されているが、クライアント装置の使用者のクライアント装置に対する入力操作によりクライアント装置に登録されたアイコンのみをホスト装置に送信し、ホスト装置に記憶し、かつ画像処理装置に登録し、ホスト装置の使用者のホスト装置に対する入力操作によりホスト装置に登録されたアイコンのみを、画像処理装置に登録し、かつ、クライアント装置に送信することは示されておらず、示唆されてもいない。
　そして、原査定の拒絶の理由に引用された刊行物４にも、クライアント装置の使用者のクライアント装置に対する入力操作によりクライアント装置に登録されたアイコンのみをホスト装置に送信し、ホスト装置に記憶し、かつ画像処理装置に登録し、ホスト装置の使用者のホスト装置に対する入力操作によりホスト装置に登録されたアイコンのみを、画像処理装置に登録し、かつ、クライアント装置に送信することは示されておらず、周知技術であるともいえないから、引用発明において上記相違点に係る本願発明の構成を採用することは、容易であるとはいえない。　　
　したがって、本願発明は、引用発明及び刊行物２〜５に記載された技術に基づいて、当業者が容易に発明をすることができたとはいえない。
　　　
　そして、請求項２は請求項１を引用する、請求項３は請求項２を引用する、請求項４は請求項１〜３のいずれか１項を引用する、請求項５は請求項１〜４のいずれか１項を引用する従属形式で記載された発明であり、請求項６は、本願発明とカテゴリのみが異なる画像処理方法の発明であり、請求項７は請求項１から５のいずれか１項に記載の画像処理システムを機能させるためのプログラムを記録したコンピュータ読み取り可能な記録媒体の発明であり、本願の請求項２〜７に係る発明は、本願発明の全ての構成を含む発明である。
　したがって、本願の請求項２〜７に係る発明は、本願発明と同じ理由により、当業者が容易に発明をすることができたとはいえない。
　　　　
第５　むすび
　以上のとおり、本願発明は、刊行物に記載された発明に基づいて、当業者が容易に発明をすることができたものとすることができないから、原査定の理由によっては拒絶すべきものとすることはできない。
　本願の請求項２〜７に係る発明も同様である。
　また、他に本願を拒絶すべき理由を発見しない。
　よって、結論のとおり審決する。